(57)【要約】【課題】波形屋根に対して隙間なく安定的に強固に取り付けることができる屋根上取付具の取付構造、その屋根上取付具およびスペーサー部材を提供する。【解決手段】屋根上取付具１０の内向鍔片１２と、波形屋根３０の頂部３１ａとの間に、ボルト体２１が上方に貫通する構造としたスペーサー部材Ｓが介装され、屋根上取付具１０が該スペーサー部材Ｓの上面に載置されて取り付けられる構造としている。【選択図】図１
2010229645.tif 000002
【特許請求の範囲】
【請求項１】
両脚片を備えて断面略倒コ字形に形成した本体部と、該両脚片のそれぞれの下端から対向するように折曲延設された両内向鍔片とをすくなくとも備えてなる屋根上取付具を、上記両脚片を緊締して、上記両内向鍔片を相互に近接させて、波形屋根の頂部より突出したボルト体に、該ボルト体に螺着されたナットの上方で挟着させて、該波形屋根に取り付ける構造とした屋根上取付具の取付構造において、
上記屋根上取付具の内向鍔片と、上記波形屋根の頂部との間に、上記ボルト体が上方に貫通する構造としたスペーサー部材が介装され、上記屋根上取付具が該スペーサー部材の上面に載置されて取り付けられることを特徴とする屋根上取付具の取付構造。
【請求項２】
請求項１において、
上記ナットと上記波形屋根の頂部との間には座金が介装されており、
上記スペーサー部材は、上記座金を隠すように上記波形屋根の頂部の上面に載置される中空台座で構成されている、屋根上取付具の取付構造。
【請求項３】
請求項１において、
上記スペーサー部材は、上記ボルト体が貫通する貫通孔を有した支持板よりなり、上記ナットの上に載置されて支持されている、屋根上取付具の取付構造。
【請求項４】
請求項３において、
上記支持板には、ナット収容凹所が形成されている、屋根上取付具の取付構造。
【請求項５】
請求項１において、
上記ナットと上記波形屋根の頂部との間には防水座金が介装されており、
上記スペーサー部材は、上記ボルト体が貫通する貫通孔を有した支持板よりなり、上記防水座金の上に載置されて支持されている、屋根上取付具の取付構造。
【請求項６】
請求項１〜５のいずれか１項において、
上記スペーサー部材には、上記波形屋根の頂部または上記ナットに係止するスペーサー部材回り止め片が形成されている、屋根上取付具の取付構造。
【請求項７】
請求項１〜６のいずれか１項において、
上記スペーサー部材には、上記屋根上取付具の内向鍔片に係止する取付具回り止め片が形成されている、屋根上取付具の取付構造。
【請求項８】
請求項１〜７のいずれかに記載の屋根上取付具の取付構造に用いられる屋根上取付具。
【請求項９】
請求項１〜７のいずれかに記載の屋根上取付具の取付構造に用いられるスペーサー部材。
【発明の詳細な説明】
【技術分野】
【０００１】
本発明は、波形屋根の頂部より突出したボルト体に挟着させて屋根上に取り付けるようにした屋根上取付具の取付構造、その屋根上取付具およびスペーサー部材に関する。
【背景技術】
【０００２】
一般に、折板屋根（角波形屋根）、丸波形屋根等の波形屋根の上面に、例えばテレビアンテナや空調機器、太陽電池パネル、断熱シート等の各種機器・部材類を配設することが実施されており、従来には、これらの機器・部材類を屋根上に取り付けるための種々の屋根上取付具が提案されている（例えば、特許文献１参照）。
【０００３】
特に、山部と谷部とが交互に連続してなる波形屋根における山部の頂部等で、隣接する屋根材同士を重ねてなる重合部をボルト体とナットの螺着によって連結、固定した構造のものでは、重合部を屋根の下方より貫通して屋根上に突出された、屋根材連結のためのボルト体を、対向する挟着片で挟み込んで固定する構造の屋根上取付具も提案されている。
【０００４】
この屋根上取付具は、両脚片を備えて断面略倒コ字形に形成した本体部と、その両脚片の下端から対向するように延びた両内向鍔片（両挟着片）とを備えており、両脚片を横方向に貫通する緊締用ボルト、ナットで両脚片を緊締して、ボルト体に両内向鍔片を挟着させて取り付ける構造となっている。このような取付構造によれば、内向鍔片の先端部がボルト体のネジ溝に食い込んで固定できるため、屋根上取付具が容易に外れるおそれはない。
【先行技術文献】
【特許文献】
【０００５】
【特許文献１】特許第３３６８３７４号
【発明の概要】
【発明が解決しようとする課題】
【０００６】
ところが、この種の構造のものでは、波形屋根の上面に、上記ボルト体に螺着されるナットが配されているから、内向鍔片でボルト体を挟み込む位置は、ボルト体の軸部の、ナットから上方に突き出た箇所となり、そのため内向鍔片をボルト体に挟着させたときには、両脚片の下端を含む内向鍔片の全体は屋根から隙間を介して浮いた状態となる。そのため、屋根上取付具に対して大きな外力が加われば、屋根上取付具が回転したり、ぐらついたりするおそれがあった。
【０００７】
本発明は、このような事情を考慮して提案されたもので、その目的は、波形屋根に対して隙間なく、もしくは隙間があっても安定的に強固に取り付けることができる屋根上取付具の取付構造、その屋根上取付具およびスペーサー部材を提供することにある。
【課題を解決するための手段】
【０００８】
上記目的を達成するために、請求項１に記載の屋根上取付具の取付構造は、両脚片を備えて断面略倒コ字形に形成した本体部と、該両脚片のそれぞれの下端から対向するように折曲延設された両内向鍔片とをすくなくとも備えてなる屋根上取付具を、両脚片を緊締して、両内向鍔片を相互に近接させて、波形屋根の頂部より突出したボルト体に、該ボルト体に螺着されたナットの上方で挟着させて、該波形屋根に取り付ける構造とした屋根上取付具の取付構造において、屋根上取付具の内向鍔片と、波形屋根の頂部との間に、ボルト体が上方に貫通する構造としたスペーサー部材が介装され、屋根上取付具が該スペーサー部材の上面に載置されて取り付けられることを特徴としている。
【０００９】
請求項２に記載の屋根上取付具の取付構造では、ナットと波形屋根の頂部との間には座金が介装されており、スペーサー部材は、座金を隠すように波形屋根の頂部の上面に載置される中空台座で構成されている。
【００１０】
請求項３に記載の屋根上取付具の取付構造では、スペーサー部材はボルト体が貫通する貫通孔を有した支持板よりなり、ナットの上に載置されて支持されている。
【００１１】
請求項４に記載の屋根上取付具の取付構造では、支持板にナット収容凹所が形成されている。
【００１２】
請求項５に記載の屋根上取付具の取付構造では、ナットと波形屋根の頂部との間には座金が介装されており、スペーサー部材はボルト体が貫通する貫通孔を有した支持板よりなり、防水座金の上に載置されて支持されている。
【００１３】
請求項６に記載の屋根上取付具の取付構造では、スペーサー部材に波形屋根の頂部またはナットに係止するスペーサー部材回り止め片が形成されている。
【００１４】
請求項７に記載の屋根上取付具の取付構造では、スペーサー部材に屋根上取付具の内向鍔片に係止する取付具回り止め片が形成されている。
【００１５】
請求項８に記載の屋根上取付具は、請求項１〜７のいずれかに記載の屋根上取付具の取付構造に用いられるものである。
【００１６】
請求項９に記載のスペーサー部材は、請求項１〜７のいずれかに記載の屋根上取付具の取付構造に用いられるものである。
【発明の効果】
【００１７】
本発明によれば、次のような効果がある。
【００１８】
すなわち、請求項１に係る屋根上取付具の取付構造、請求項８に係る屋根上取付具、請求項９に係るスペーサー部材によれば、屋根上取付具の内向鍔片と、波形屋根の頂部との間にスペーサー部材を介装して、そのスペーサー部材の上面に屋根上取付具が載置される構成となっているため、内向鍔片が頂部より浮いた状態となることなく、屋根上取付具を波形屋根に対して、隙間なく安定的に、かつ強固に取り付けることができる。
【００１９】
請求項２に係る屋根上取付具の取付構造では、ナットと波形屋根の頂部との間に座金が介装されているので、座金に防水パッキン等を付加することでボルト体の貫通孔からの防水が図れる。また、スペーサー部材は座金を隠すようにした中空台座よりなり、座金をかわして頂部の上面に載せ置かれる構成であるため、安定をさらによくすることができる。
【００２０】
請求項３に係る屋根上取付具の取付構造によれば、スペーサー部材がナット上に載せ置かれる支持板で構成されているため、スペーサー部材を簡易に取り付けることができる。
【００２１】
また、請求項４に係る屋根上取付具の取付構造によれば、支持板にナット収容凹所が形成されているので、支持板を側面から見た場合、ナット収容凹所を配した中央が突出し、周囲がその突出部よりも低くなっている。そのため、内向鍔片が傾斜起立形状である場合に適しており、屋根上取付具は内向鍔片の下端が浮いた状態になること支持されるし、屋根上取付具の配設位置が高くなりすぎることもない。
【００２２】
請求項５に係る屋根上取付具の取付構造によれば、ナットと波形屋根の頂部との間に座金が介装されているので、座金に防水パッキン等を内装することでボルト体の貫通孔からの防水が図れる。また、スペーサー部材は座金の上に載置される支持板よりなる構成であるため、特に支持板を座金とナットとの間に挟み込む態様のものでは、ナットを強く締め付けておけば支持板が回転することを防止でき、また支持板を座金に載せ置く態様のものでは、ナットを取り外すことなく支持板を簡易に取り付けられる。
【００２３】
請求項６に係る屋根上取付具の取付構造によれば、スペーサー部材に波形屋根の頂部またはナットに係止するスペーサー部材回り止め片が形成されているので、スペーサー部材が回転することを防止できる。
【００２４】
請求項７に係る屋根上取付具の取付構造によれば、スペーサー部材に屋根上取付具に係止する取付具回り止め片が形成されているので、屋根上取付具が回転することを防止できる。
【図面の簡単な説明】
【００２５】
【図１】本発明に係る屋根上取付具の第１の実施形態を示す説明図であり、（ａ）は屋根上取付具の取付構造を示した正面図、（ｂ）は同側面図である。
【図２】（ａ）は図１に示した屋根上取付具の分解斜視図、（ｂ）は（ａ）のＸ部分の拡大平面図である。
【図３】（ａ）、（ｂ）は同屋根上取付具の施工状態を示す正面図である。
【図４】（ａ）〜（ｃ）は同実施形態のスペーサー部材の他例を示す斜視図である。
【図５】本発明に係る屋根上取付具の第２の実施形態を示す説明図で、屋根上取付具の取付構造を示す分解斜視図である。
【図６】同屋根上取付具の取付後の斜視図である。
【図７】（ａ）、（ｂ）は同実施形態のスペーサー部材の他例を示す斜視図である。
【図８】本発明に係る屋根上取付具の第３の実施形態を示す説明図であり、（ａ）は屋根上取付具の取付構造を示した正面図、（ｂ）はスペーサー部材の斜視図である。
【図９】同実施形態の他例を示す説明図であり、（ａ）は屋根上取付具の取付構造を示した正面図、（ｂ）はスペーサー部材の斜視図である。
【図１０】本発明に係る屋根上取付具の第４の実施形態を示す説明図であり、（ａ）は屋根上取付具の取付構造を示した一部破断正面図、（ｂ）、（ｃ）は（ａ）の屋根上取付具に使用されるスペーサー部材２例の斜視図である。
【図１１】同実施形態の他例を示す説明図であり、（ａ）は屋根上取付具の取付構造を示した正面図、（ｂ）はスペーサー部材の斜視図である。
【図１２】本発明に係る屋根上取付具の第５の実施形態を示す説明図であり、（ａ）は屋根上取付具の取付構造を示した正面図、（ｂ）はスペーサー部材の平面図である。
【図１３】同実施形態の他例である屋根上取付具の取付構造を示した正面図である。
【発明を実施するための形態】
【００２６】
以下に、本発明の実施の形態について、添付図面を参照しながら説明する。なお以下には、本発明の屋根上取付具の取付対象である波形屋根として、角波形屋根、つまり折板屋根を例示しているが、丸波形屋根（略半円形の山部と谷部とが交互に連続する屋根）にも適用できる。また、屋根の素材としては、金属や合成樹脂、セメント系等のものが適用できる。
【００２７】
図１は本発明に係る屋根上取付具の第１の実施形態を示す説明図であり、図１（ａ）は折板屋根への取付状態を示した正面図、図１（ｂ）は同側面図である。また、図２は図１に示した屋根上取付具の分解斜視図、図３（ａ）、（ｂ）は同屋根上取付具の施工状態を示す正面図である。
【００２８】
本実施形態に使用される折板屋根３０は、山部３１と谷部３２とが交互に連続する屋根であって、複数の折板屋根材を山部３１の頂部３１ａで重合し、その重合部３０ａでボルト体２１とナット２２の螺着によって連結した重ね式構造となっている。また、ボルト孔３０ｂからの水浸入の防止のために、ナット２２と頂部３１ａとの間に、防水パッキンが内装された略円錐形の座金２３が取り付けられている。なお、ナット２２と座金２３とが一体となったものを使用してもよい。
【００２９】
一方、屋根上取付具１０は、金属板または硬質樹脂板よりなり、折板屋根３０の頂部３１ａより上方に突出した重合部連結用の上記ボルト体２１に挟着して、取付、固定する構造となっている。
【００３０】
具体的には、屋根上取付具１０は、上板１１ａと、その両端から下方に延びる両脚片１１ｂ、１１ｂとを備えた断面略倒コ字形の本体部１１と、両脚片１１ｂ、１１ｂのそれぞれの下端から対向するように折曲延設された両内向鍔片１２、１２とをすくなくとも備えてなり、両脚片１１ｂ、１１ｂを緊締して、両内向鍔片１２、１２を相互に近接させて、上記ボルト体２１の軸部２１ａに、ボルト体２１に螺着されたナット２２の上方位置でボルト体２１に挟着させる構造となっている。また両脚片１１ｂ、１１ｂの緊締は、対向する両脚片１１ｂ、１１ｂに開設された軸孔１１ｂａ、１１ｂａに貫通された緊締用ボルト１３と、緊締用ナット１４との螺合によってなされる。
【００３１】
また、本実施形態では、脚片１１ｂの下端より延設された内向鍔片１２が、折曲基部１２ａから先端部１２ｂに向けて傾斜起立した形状となっているが、頂部３１ａの上面に平行なものでもよい。
【００３２】
また、図２（ｂ）の拡大平面図に示すように、内向鍔片１２の先端部１２ｂの辺縁の略中央には、折板屋根３０の頂部３１ａより突出したボルト体２１の外周面に嵌合可能な凹所１２ｃが形成されており、さらに凹所１２ｃの中央には上方に傾斜起立された切り起こし片１２ｄが形成されている。なお、この切り起こし片１２ｄはボルト体２１の軸部２１ａに対して鋭角的に嵌合させるものであるが、内向鍔片１２自体が傾斜しているため、その傾斜の程度によっては、切り起こし片１２ｄを形成しないものであってもよい。さらに、内向鍔片１２には、内向鍔片１２の強度を上げるためのリブ１２ｅが形成されている。
【００３３】
さらに、本実施形態の屋根上取付具１０の取付構造は、スペーサー部材Ｓをさらに付加した構造となっている。このスペーサー部材Ｓは屋根上取付具１０載置用の環状の台輪４７よりなる中空台座４０であり、上端面４７ａに内向鍔片１２の折曲基部１２ａが当接するとともに、ナット２２と座金２３の全体を包囲して中空部４８内に隠すように折板屋根３０の頂部３１ａの上面に載せ置かれる。なお、台輪４７はナット２２の上端よりも低いものでもよい。
【００３４】
以上のように構成した屋根上取付具１０は、以下の要領で折板屋根３０に取り付けて使用する。
【００３５】
まず、屋根上取付具１０の両脚片１１ｂ、１１ｂの軸孔１１ｂａの一方から緊締用ボルト１３の軸部１３ａを貫通したうえで、緊締用ボルト１３の先端側から緊締用ナット１４を軽く締めて仮止め状態にする。
【００３６】
次に、折板屋根３０の頂部３１ａより突出したボルト体２１の上方から、まず環状のスペーサー部材Ｓ（台輪４７）を、その中空部４８にボルト体２１が挿通されるようにして、折板屋根３０の頂部３１ａの上面に載置し、ついで屋根上取付具１０を、その両脚片１１ｂ、１１ｂの隙間１５にボルト体２１が嵌挿されるようにして、台輪４７の上端面４７ａに載置する（図３（ａ）、（ｂ）参照）。
【００３７】
そして、仮止め状態にしていた緊締用ボルト１３および緊締用ナット１４を締め付けると、この締め付け力によって両脚片１１ｂ、１１ｂが近接して、両脚片１１ｂ、１１ｂ下端の両内向鍔片１２、１２も隙間１５が小さくなるように互いに近接し、この両内向鍔片１２、１２の両凹所１２ｃ、１２ｃが、ボルト体２１の軸部２１ａを挟み込むとともに、切り起こし片１２ｄがボルト体２１のネジ溝に食い込んで、両者は強固に連結固定される（図１参照）。
【００３８】
こうして折板屋根３０に取り付けた屋根上取付具１０の本体部１１の上には、各種機器や部材類（不図示）を取り付けることができる。
【００３９】
このように緊締用ボルト１３および緊締用ナット１４で両脚片１１ｂ、１１ｂ２を緊締した状態では、図３（ｂ）に示すように、両脚片１１ｂ、１１ｂの下端が相互に近づいて両脚片１１ｂ、１１ｂが傾斜状態から略垂直状態に変化しており、その下端部である折曲基部１２ａが相互に近づいて、台輪４７の上に安定的に載置された状態となっている。
【００４０】
このように台輪４７よりなる中空台座４０を設けた構造によれば、内向鍔片１２が頂部３１ａより浮いた状態となることなく、屋根上取付具１０を折板屋根３０に対して隙間なく安定的に強固に取り付けることができる。また、台輪４７を設けているのでシーソー様のぐらつきを防止できる。
【００４１】
さらに、スペーサー部材Ｓが台輪４７で構成されているため、座金２３に抵触しないように安定的に頂部３１ａに載置できるとともに素材量の節約にも貢献できるし、座金２３およびナット２２を側方より覆っているので隙間がなく見映えもよい。
【００４２】
また、本実施形態では、屋根上取付具１０を折板屋根３０に取り付けるためのボルト体２１は、屋根材連結用のものが兼用されているため、取付のための部材点数を少なくすることができる。
【００４３】
以上では、スペーサー部材Ｓの例として環状で、座板を有さない中空台座４０（台輪４７）を示したが、図４（ａ）〜（ｃ）に示すような中空台座４０であってもよい。なお図４（ａ）では、屋根上取付具の取付対象である折板屋根を簡略的に図示し、図４（ｂ）、（ｃ）ではそれらの図示を割愛している。
【００４４】
図４（ａ）に示した中空台座４０は、一部を切り欠いた平面視矩形状の台輪４７であり、台輪４７は下端部が座金２３をかわして頂部３１ａに載置される形状となっている。図４（ａ）中の破線は、台輪４７の頂部３１ａにおける載置位置を示すものである。
【００４５】
この中空台座４０によれば、台輪４７で構成されているため屋根上取付具１０を安定支持できるとともに、一部を切り欠き、座金２３の全てを隠さない形状となっているため、素材量を軽減できる。また金型成形によらなくても折曲成形によって簡易に形成できる。
【００４６】
図４（ｂ）に示した中空台座４０は、ボルト体２１の貫通孔４３を有した矩形状の座板４１と、その両短辺縁より下方に延びたＬ字形の脚部４２とを備えている。この脚部４２は、頂部３１ａの形成方向に沿って並んで配されるように頂部３１ａに載置されている。なお、図４（ｂ）、（ｃ）にいて、スペーサー部材Ｓの折板屋根３０に対する設置方向は、図４（ａ）と同様である。
【００４７】
また、図４（ｃ）に示した中空台座４０は、図４（ｂ）と同様に貫通孔４３を有した矩形状の座板４１を備えているが、脚部４２は頂部３１ａの波の方向に沿って配される座板４１の両長辺縁に形成されている。なお、この脚部４２は座金２３に抵触しないように中央部が切り欠かれている。
【００４８】
なお、図４（ｂ）、（ｃ）では、貫通孔４３をナット２２よりもやや大きな径のものとし、ナット２２の上端が貫通孔４３より少し突き出る中空台座４０を示しているが、ナット２２を座板４１の下方に隠すものであってもよい。もちろん、図例のようにナット２２を通す程度の貫通孔４３を設けて中空台座４０の座板４１を低く形成するほうが、内向鍔片１２のボルト体２１への挟着位置を低くでき安定させることができるので、望ましい。
【００４９】
以上の３例はいずれも、図１に示したものと同様に、スペーサー部材Ｓが折板屋根３０の頂部３１ａに載置、支持され、かつ屋根上取付具１０を支持する台座構造であるため、屋根上取付具１０を折板屋根３０に対して隙間なく安定的に強固に取り付けることができる。特に、図１〜図４に示したスペーサー部材Ｓはいずれも中空台座４０の構造であるため、座金２３に抵触することなく頂部３１ａの上面に載置させることができる。
【００５０】
中空台座で構成されたスペーサー部材としては、円形または矩形の台輪に、貫通孔付きの底板部、または／および、貫通孔付きの天板部を付加した構成であってもよい。
【００５１】
ついで、本発明の第２の実施形態について説明する。
【００５２】
図５は第２の実施形態の屋根上取付具の取付構造を示す分解斜視図、図６は同屋根上取付具の取付後の斜視図である。
【００５３】
図５および図６の説明においては、図１〜図４（第１の実施形態）と共通する部位には同一の符号を付して、重複する説明を省略し、特徴点についてのみ記述するものとする。
【００５４】
本実施形態では、スペーサー部材Ｓは中空台座４０の構造、つまり折板屋根３０の頂部３１ａに、座金２３をかわして載置、支持され、かつ屋根上取付具１０を座板４１で支持する構造であり、その点では第１の実施形態（図４（ｂ）、（ｃ）の座板と脚部とを有した形態）のものと共通するが、座板４１の両辺縁より上方に突出した取付具回り止め片４４と、他の両辺縁から下方に延びた脚部４２の両端に設けられたスペーサー部材回り止め片４５を備えている点で第１の実施形態のものと異なっている。なお図例では、貫通孔４３はナット２２を上方に突出させるようにナット２２よりも大きな孔に形成されているが、ナット２２を座板４１の下方に隠すものでもよい。
【００５５】
この取付具回り止め片４４は、屋根上取付具３０を取り付けた状態では、内向鍔片１２の両側端と接触または近接状態にあり、屋根上取付具１０に回転力が作用しても、取付具回り止め片４４に係止するので回転ずれが起こることを防止できるし、内向鍔片１２間の隙間１５の長手方向へのずれも防止できる。なお、取付具回り止め片４４は脚部４２と同一辺に設けてもよい。
【００５６】
また、スペーサー部材回り止め片４５は、両脚部４２に１対ずつ形成されており、両脚部４２は、各１対のスペーサー部材回り止め片４５が折板屋根３０の山部３１の頂部３１ａに跨るように、頂部３１ａの上に載置されているので、スペーサー部材Ｓの回転および波の方向への移動を制止できる。
【００５７】
なお、スペーサー部材Ｓの波の方向への移動および頂部３１ａの形成方向への移動は、貫通孔４３に挿通されたナット２２またはボルト体２１によっても規制されていることはいうまでもない。よってスペーサー部材Ｓはナット２２またはボルト体２１が外れないかぎり、移動することはない。
【００５８】
また、図５および図６に示したスペーサー部材Ｓは、切り起こし、折り曲げ等で形成できるので、製造も容易である。
【００５９】
図７（ａ）、（ｂ）は、同実施形態および第３の実施形態のいずれにも関連するスペーサー部材の他２例を示す斜視図である。
【００６０】
これらのスペーサー部材Ｓは、座板４１と脚部４２とを備えた台座構造であり、さらに取付具回り止め片４４、スペーサー部材回り止め片４５を備えている点で図５および図６のものと類似している。しかし、図７（ａ）、（ｂ）のものは、脚部４２が一方にしか形成されておらず、折板屋根３０の頂部３１ａに設置した状態では、座板４１の下面がナット２２に接して支持されている。つまり、このスペーサー部材Ｓは、後述する支持板５０（図８参照）と同種のものであり、支持板５０にさらに脚部を付加した構成であるといえる。
【００６１】
すなわち、これらのスペーサー部材Ｓは、１つの脚部４２、および座板４１のナット２２との接触部の２箇所でもって下方より支持されており、そのため、スペーサー部材Ｓおよびその上の屋根上取付具１０はぐらつきなく安定する。
【００６２】
また、スペーサー部材Ｓには取付具回り止め片４４、スペーサー部材回り止め片４５が形成されているので、スペーサー部材Ｓおよび屋根上取付具１０の回転ずれ等が防止できる。
【００６３】
なお、図７（ｂ）に示したスペーサー部材Ｓは、座板４１の上面の４箇所に、上方に突き出た小突起によって構成された取付具回り止め片４４を備えている。
【００６４】
また、図７（ａ）、（ｂ）のいずれにおいても、脚部４２が折板屋根３０の頂部３１ａ（図６参照）の上面に接触せず、つまり浮いた状態となる構造であってもよい。そのような構造のスペーサー部材は、中空台座というよりは、次に示す第３の実施形態における支持板５０（図８参照）と同等のものとして位置付けられる。また、２つのスペーサー部材回り止め片４５の対向する端部４５ａが頂部３１ａの端部に接触する構造であってもよい。
【００６５】
ついで、本発明の第３の実施形態について説明する。本実施形態および第４、第５の実施形態では、屋根上取付具を折板屋根に取り付けたときに、折板屋根に接触しないスペーサー部材を用いる構造を示している。
【００６６】
図８は第３の実施形態を示す説明図であり、図８（ａ）は屋根上取付具の取付構造を示した正面図、図８（ｂ）はスペーサー部材の斜視図である。図９は同実施形態の他例を示す説明図であり、図９（ａ）は屋根上取付具の取付構造を示した正面図、図９（ｂ）はスペーサー部材の斜視図である。
【００６７】
図８および図９の説明においては、図１〜図４（第１の実施形態）と共通する部位には同一の符号を付して、重複する説明を省略し、特徴点についてのみ記述するものとする。
【００６８】
これらのものでは、スペーサー部材Ｓが、ボルト体２１が貫通する貫通孔５１を有した支持板５０より構成されており、屋根上取付具１０を取り付けた状態では、支持板５０の下面がナット２２の上端面に接触して下方より支持され、一方、支持板５０の上面に内向鍔片１２の折曲基部１２ａが当接されて屋根上取付具１０を支持している。
【００６９】
図８のものは、矩形平板の中央に貫通孔５１を開設しただけの簡易な形状であるため、屋根上取付具１０の折板屋根３０への取付を楽に行えるし、スペーサー部材Ｓの製造も容易であり、また少ない素材量で成形できる。
【００７０】
また、図９のものは、円板よりなる支持板５０の上面の４箇所に、内向鍔片１２の折曲基部１２ａに係止し得る取付具回り止め片５５が形成され、下面の２箇所にナット２２に係止し得るスペーサー部材回り止め片５６が形成されている。いずれの回り止め片も小突起状に形成されている。
【００７１】
このスペーサー部材Ｓによれば、取付具回り止め片５５およびスペーサー部材回り止め片５６が形成されているので、屋根上取付具１０およびスペーサー部材Ｓの回転ずれを防止できる。なお、スペーサー部材回り止め片５６はナット２２に係止するものであるため、スペーサー部材Ｓの回転力によってナット２２が回転して緩むおそれがあるが、ボルト体２１とナット２２を強固に螺着することでナット２２の回転は回避できる。
【００７２】
ついで、本発明の第４の実施形態について説明する。
【００７３】
図１０は第４の実施形態を示す説明図であり、図１０（ａ）は屋根上取付具の取付構造を示した一部破断正面図、図１０（ｂ）、（ｃ）は図１０（ａ）の屋根上取付具に使用されるスペーサー部材２例の斜視図である。図１１は同実施形態の他例を示す説明図であり、図１１（ａ）は屋根上取付具の取付構造を示した正面図、図１１（ｂ）はスペーサー部材の斜視図である。
【００７４】
図１０および図１１の説明においては、図１〜図４（第１の実施形態）と共通する部位には同一の符号を付して、重複する説明を省略し、特徴点についてのみ記述するものとする。
【００７５】
図１０に示したものでは、スペーサー部材Ｓが円板状の支持板５０よりなり、その支持板５０の中央部が上方に突出した形状となっており、支持板５０の下面側には、ナット２２が収容される、上記突出部５３に対応したナット収容凹所５２が形成され、そのナット収容凹所５２の底部にはボルト体２１が貫通する貫通孔５１が開設されている。つまり、このスペーサー部材Ｓは、屋根上取付具１０を取り付けた状態では、支持板５０のナット収容凹所５２の内底面がナット２２の上端面に接触して支持され、一方、下段部５４の上面に内向鍔片１２の折曲基部１２ａが当接されて屋根上取付具１０を支持している。
【００７６】
ナット収容凹所５２を形成した上面側の突出部５３の形状としては、ナット２２の形状に合った六角筒状のもの（図１０（ｂ）参照）でも、円柱状のもの（図１０（ｃ）参照）でもよい。ナット収容凹所５２が六角筒状のものによれば、ナット２２との係止によって回転を制止できる。円柱状のものでも、図例のように取付具回り止め片５５を設けることで回転を制止できる。
【００７７】
また、図１１に示したものでは、スペーサー部材Ｓが支持板５０よりなり、その支持板５０の中央部に凸条よりなる突出部５３が形成されており、支持板５０の下面側には、凸条に対応した凹溝よりなるナット収容凹所５２が形成され、そのナット収容凹所５２の底部にはボルト体２１が貫通する貫通孔５１が開設されている。つまり、このスペーサー部材Ｓも、屋根上取付具１０を取り付けた状態では、支持板５０のナット収容凹所５２の内底面がナット２２に接触して支持されており、一方、下段部５４の上面に内向鍔片１２の折曲基部１２ａが当接されて屋根上取付具１０を支持している。また、下段部５４には取付具回り止め片５５が設けられている。
【００７８】
図１０および図１１に示したスペーサー部材Ｓはいずれも、屋根上取付具１０の内向鍔片１２の折曲基部１２ａが支持板５０の下段部５４に当接する構成となっているため、内向鍔片１２の傾斜が急なもの、あるいはボルト体２１の軸部２１ａが短いものでも、内向鍔片１２の先端部１２ｂをボルト体２１に挟着させることができる。
【００７９】
最後に、本発明の第５の実施形態について説明する。
【００８０】
図１２は本発明に係る屋根上取付具の第５の実施形態を示す説明図であり、図１２（ａ）は屋根上取付具の取付構造を示した正面図、図１２（ｂ）はスペーサー部材の平面図である。図１３は、同実施形態の他例である屋根上取付具の取付構造を示した正面図である。
【００８１】
図１２および図１３の説明においては、図１〜図４（第１の実施形態）と共通する部位には同一の符号を付して、重複する説明を省略し、特徴点についてのみ記述するものとする。
【００８２】
図１２に示したものでは、スペーサー部材Ｓが支持板５０よりなり、その支持板５０の中央部が下方に突出した形状となっており、支持板５０の中央には、ナット２２が収容される、上記下方突出部５８に対応したナット嵌合凹所５７が形成され、そのナット嵌合凹所５７の底部５７ａには、ボルト体２１が貫通する貫通孔５１を構成するとともにナット２２が嵌合するナット嵌合孔５９が開設されている。つまり、このスペーサー部材Ｓは、屋根上取付具１０を取り付けた状態では、支持板５０の下方突出部５８の下面が座金２３に接触して支持され、一方、支持板５０の上面に内向鍔片１２の折曲基部１２ａが当接されて屋根上取付具１０を支持している。
【００８３】
このナット嵌合凹所５７に設けられたナット嵌合孔５９は、図１２（ｂ）に示すように、六角状のナット２２が嵌合し得る花弁形状の突起がスペーサー回り止め片５６を構成しており、ナット２２がいったん嵌合したのちは、ナット嵌合孔５９の内向片がナット２２によって係止されて、スペーサー部材Ｓの回転が阻止される。
【００８４】
さらに、支持板５０の上面の４箇所には、取付具回り止め片５５が形成されている。
【００８５】
図１２に示したスペーサー部材Ｓのように、支持板５０が座金２３の上に載置され、さらにナット２２を貫通する貫通孔５１を有したものとして、図１２のように凹所のない、例えば平板状で貫通孔が開設された支持板（図８、９に示した支持板５０と比べて貫通孔の径の大きなもの）も使用できる。
【００８６】
このように座金２３上に接触載置され、かつナット２２を貫通する貫通孔５１を有した支持板５０は、ナット２２と座金２３が一体となったものに有効に使用できるし、平板状のものによれば、屋根上取付具５０の高さ位置を低くできるので、内向鍔片１２の傾斜が急なもの、あるいはボルト体２１の軸部２１ａが短いものでも、内向鍔片１２の先端部１２ｂをボルト体２１に挟着させることができる。
【００８７】
また、図１３に示したものでは、スペーサー部材Ｓが支持板５０よりなり、その支持板５０が座金２３とナット２２に挟まれた状態で支持されている。また、この支持板５０は上面に内向鍔片１２の折曲基部１２ａが当接されて屋根上取付具１０を支持している。
【００８８】
このスペーサー部材Ｓは、ボルト体２１とナット２２を強固に螺着することで、両者に強固に挟まれて固定されるので、スペーサー部材Ｓが回転することを阻止できる。また、支持板５０がナット２２の下に配され、屋根上取付具１０の内向鍔片１２の折曲基部１２ａが、下方に配された支持板５０に当接する構成となっているため、内向鍔片１２の傾斜が急なもの、あるいはボルト体２１の軸部２１ａが短いものでも、内向鍔片１２の先端部１２ｂをボルト体２１に挟着させることができる。
【００８９】
以上に説明した種々の実施形態では、折板屋根３０の頂部３１ａとナット２２との間に防水用の座金２３を配設したものを示したが、第１〜第４の実施形態については、防水用の座金２３の代わりに防水パッキンを配設した折板屋根についても適用が可能である。
【００９０】
また、以上の種々の実施形態のうち、ボルト体２１を貫通させる貫通孔５１を有した例（図８および図１０（ｃ）参照）については、貫通孔５１に雌ネジ（ネジ溝）を形成させてもよい。その場合、台座の座板および支持板が矩形であれば、螺着しようとすると折板屋根３０の頂部３１ａ上での位置合わせができなくなるおそれがあるため、円形に形成することが望ましい。
【００９１】
また、以上の実施形態では、屋根上取付具１０を隣接する両屋根材の重合部３０ａに配した例を示したが、重合部が形成されていない山部の頂部に屋根上取付具１０を取り付けてもよい。
【００９２】
さらに、以上の実施形態では、山部３１、谷部３２の方向に沿って両脚片１１ｂ、１１ｂが配列されるように屋根上取付具１０を配した例を示したが、波の方向に沿って両脚片１１ｂ、１１ｂが配列されるように屋根上取付具１０を配してもよい。これら２種の方向に配することが望ましいが、それら以外のどのような方向に配してもよい。
【００９３】
また、上記屋根上取付具は、平板形（波形を形成していない）屋根に取り付けることも可能である。
【００９４】
以上には、スペーサー部材Ｓとして、折板屋根３０の頂部３１ａに載置される中空台座４０で構成されるもの（第１、第２の実施形態）、ナット２２に載置されるもの（第３、第４の実施形態）、および座金２３に載置されるもの（第５の実施形態）を示したが、頂部３１ａとナット２２の両方に載せ置くスペーサー部材Ｓ（図７参照）のように、複数の部材によって支持される形態であってもよい。
【符号の説明】
【００９５】
１０      屋根上取付具
１１      本体部
１１ａ      上板
１１ｂ      脚片
１２      内向鍔片
１２ａ      折曲基部
１２ｂ      先端部
２１      ボルト体
２２      ナット
２３      座金
３０      折板屋根（波形屋根）
３０ａ      重合部
３１      山部
３１ａ      頂部
３２      谷部
Ｓ      スペーサー部材
４０      中空台座
４１      座板
４２      脚部
４３      貫通孔
４４      取付具回り止め片
４５      スペーサー部材回り止め片
４７      台輪
４８      中空部
５０      支持板
５１      貫通孔
５２      ナット収容凹所
５３      突出部
５４      下段部
５５      取付具回り止め片
５６      スペーサー部材回り止め片
５７      ナット嵌合凹所
５８      下方突出部
５９      ナット嵌合孔
【図１】
2010229645.tif 000003
【図２】
2010229645.tif 000004
【図３】
2010229645.tif 000005
【図４】
2010229645.tif 000006
【図５】
2010229645.tif 000007
【図６】
2010229645.tif 000008
【図７】
2010229645.tif 000009
【図８】
2010229645.tif 000010
【図９】
2010229645.tif 000011
【図１０】
2010229645.tif 000012
【図１１】
2010229645.tif 000013
【図１２】
2010229645.tif 000014
【図１３】
2010229645.tif 000015
【手続補正書】
【提出日】平成22年2月16日(2010.2.16)
【手続補正１】
【補正対象書類名】明細書
【補正対象項目名】全文
【補正方法】変更
【補正の内容】
【発明の詳細な説明】
【技術分野】
【０００１】
本発明は、波形屋根の頂部より突出したボルト体に挟着させて屋根上に取り付けるようにした屋根上取付具の取付構造、その屋根上取付具およびスペーサー部材に関する。
【背景技術】
【０００２】
一般に、折板屋根（角波形屋根）、丸波形屋根等の波形屋根の上面に、例えばテレビアンテナや空調機器、太陽電池パネル、断熱シート等の各種機器・部材類を配設することが実施されており、従来には、これらの機器・部材類を屋根上に取り付けるための種々の屋根上取付具が提案されている（例えば、特許文献１参照）。
【０００３】
特に、山部と谷部とが交互に連続してなる波形屋根における山部の頂部等で、隣接する屋根材同士を重ねてなる重合部をボルト体とナットの螺着によって連結、固定した構造のものでは、重合部を屋根の下方より貫通して屋根上に突出された、屋根材連結のためのボルト体を、対向する挟着片で挟み込んで固定する構造の屋根上取付具も提案されている。
【０００４】
この屋根上取付具は、両脚片を備えて断面略倒コ字形に形成した本体部と、その両脚片の下端から対向するように延びた両内向鍔片（両挟着片）とを備えており、両脚片を横方向に貫通する緊締用ボルト、ナットで両脚片を緊締して、ボルト体に両内向鍔片を挟着させて取り付ける構造となっている。このような取付構造によれば、内向鍔片の先端部がボルト体のネジ溝に食い込んで固定できるため、屋根上取付具が容易に外れるおそれはない。
【先行技術文献】
【特許文献】
【０００５】
【特許文献１】特許第３３６８３７４号
【発明の概要】
【発明が解決しようとする課題】
【０００６】
ところが、この種の構造のものでは、波形屋根の上面に、上記ボルト体に螺着されるナットが配されているから、内向鍔片でボルト体を挟み込む位置は、ボルト体の軸部の、ナットから上方に突き出た箇所となり、そのため内向鍔片をボルト体に挟着させたときには、両脚片の下端を含む内向鍔片の全体は屋根から隙間を介して浮いた状態となる。そのため、屋根上取付具に対して大きな外力が加われば、屋根上取付具が回転したり、ぐらついたりするおそれがあった。
【０００７】
本発明は、このような事情を考慮して提案されたもので、その目的は、波形屋根に対して隙間なく、もしくは隙間があっても安定的に強固に取り付けることができる屋根上取付具の取付構造、その屋根上取付具およびスペーサー部材を提供することにある。
【課題を解決するための手段】
【０００８】
上記目的を達成するために、請求項１に記載の屋根上取付具の取付構造は、両脚片を備えて断面略倒コ字形に形成した本体部と、該両脚片のそれぞれの下端から対向するように折曲延設された両内向鍔片とをすくなくとも備えてなる屋根上取付具を、両脚片を緊締して、両内向鍔片を相互に近接させて、波形屋根の頂部より突出したボルト体に、該ボルト体に螺着されたナットの上方で挟着させて、該波形屋根に取り付ける構造とした屋根上取付具の取付構造において、屋根上取付具の内向鍔片と、波形屋根の頂部との間に、ボルト体が上方に貫通する構造としたスペーサー部材が介装され、屋根上取付具が該スペーサー部材の上面に載置されて取り付けられることを特徴としている。
【０００９】
請求項２に記載の屋根上取付具の取付構造では、ナットと波形屋根の頂部との間には座金が介装されており、スペーサー部材は、座金を隠すように波形屋根の頂部の上面に載置される中空台座で構成されている。
【００１０】
請求項３に記載の屋根上取付具の取付構造では、スペーサー部材はボルト体が貫通する貫通孔を有した支持板よりなり、ナットの上に載置されて支持されている。
【００１１】
請求項４に記載の屋根上取付具の取付構造では、支持板にナット収容凹所が形成されている。
【００１２】
請求項５に記載の屋根上取付具の取付構造では、ナットと波形屋根の頂部との間には座金が介装されており、スペーサー部材はボルト体が貫通する貫通孔を有した支持板よりなり、座金の上に載置されて支持されている。
【００１３】
請求項６に記載の屋根上取付具の取付構造では、スペーサー部材に波形屋根の頂部またはナットに係止するスペーサー部材回り止め片が形成されている。
【００１４】
請求項７に記載の屋根上取付具の取付構造では、スペーサー部材に屋根上取付具の内向鍔片に係止する取付具回り止め片が形成されている。
【００１５】
請求項８に記載の屋根上取付具は、請求項１〜７のいずれかに記載の屋根上取付具の取付構造に用いられるものである。
【００１６】
請求項９に記載のスペーサー部材は、請求項１〜７のいずれかに記載の屋根上取付具の取付構造に用いられるものである。
【発明の効果】
【００１７】
本発明によれば、次のような効果がある。
【００１８】
すなわち、請求項１に係る屋根上取付具の取付構造、請求項８に係る屋根上取付具、請求項９に係るスペーサー部材によれば、屋根上取付具の内向鍔片と、波形屋根の頂部との間にスペーサー部材を介装して、そのスペーサー部材の上面に屋根上取付具が載置される構成となっているため、内向鍔片が頂部より浮いた状態となることなく、屋根上取付具を波形屋根に対して、隙間なく安定的に、かつ強固に取り付けることができる。
【００１９】
請求項２に係る屋根上取付具の取付構造では、ナットと波形屋根の頂部との間に座金が介装されているので、座金に防水パッキン等を付加することでボルト体の貫通孔からの防水が図れる。また、スペーサー部材は座金を隠すようにした中空台座よりなり、座金をかわして頂部の上面に載せ置かれる構成であるため、安定をさらによくすることができる。
【００２０】
請求項３に係る屋根上取付具の取付構造によれば、スペーサー部材がナット上に載せ置かれる支持板で構成されているため、スペーサー部材を簡易に取り付けることができる。
【００２１】
また、請求項４に係る屋根上取付具の取付構造によれば、支持板にナット収容凹所が形成されているので、支持板を側面から見た場合、ナット収容凹所を配した中央が突出し、周囲がその突出部よりも低くなっている。そのため、内向鍔片が傾斜起立形状である場合に適しており、屋根上取付具は内向鍔片の下端が浮いた状態になることなく支持されるし、屋根上取付具の配設位置が高くなりすぎることもない。
【００２２】
請求項５に係る屋根上取付具の取付構造によれば、ナットと波形屋根の頂部との間に座金が介装されているので、座金に防水パッキン等を内装することでボルト体の貫通孔からの防水が図れる。また、スペーサー部材は座金の上に載置される支持板よりなる構成であるため、特に支持板を座金とナットとの間に挟み込む態様のものでは、ナットを強く締め付けておけば支持板が回転することを防止でき、また支持板を座金に載せ置く態様のものでは、ナットを取り外すことなく支持板を簡易に取り付けられる。
【００２３】
請求項６に係る屋根上取付具の取付構造によれば、スペーサー部材に波形屋根の頂部またはナットに係止するスペーサー部材回り止め片が形成されているので、スペーサー部材が回転することを防止できる。
【００２４】
請求項７に係る屋根上取付具の取付構造によれば、スペーサー部材に屋根上取付具に係止する取付具回り止め片が形成されているので、屋根上取付具が回転することを防止できる。
【図面の簡単な説明】
【００２５】
【図１】本発明に係る屋根上取付具の第１の実施形態を示す説明図であり、（ａ）は屋根上取付具の取付構造を示した正面図、（ｂ）は同側面図である。
【図２】（ａ）は図１に示した屋根上取付具の分解斜視図、（ｂ）は（ａ）のＸ部分の拡大平面図である。
【図３】（ａ）、（ｂ）は同屋根上取付具の施工状態を示す正面図である。
【図４】（ａ）〜（ｃ）は同実施形態のスペーサー部材の他例を示す斜視図である。
【図５】本発明に係る屋根上取付具の第２の実施形態を示す説明図で、屋根上取付具の取付構造を示す分解斜視図である。
【図６】同屋根上取付具の取付後の斜視図である。
【図７】（ａ）、（ｂ）は同実施形態のスペーサー部材の他例を示す斜視図である。
【図８】本発明に係る屋根上取付具の第３の実施形態を示す説明図であり、（ａ）は屋根上取付具の取付構造を示した正面図、（ｂ）はスペーサー部材の斜視図である。
【図９】同実施形態の他例を示す説明図であり、（ａ）は屋根上取付具の取付構造を示した正面図、（ｂ）はスペーサー部材の斜視図である。
【図１０】本発明に係る屋根上取付具の第４の実施形態を示す説明図であり、（ａ）は屋根上取付具の取付構造を示した正面図、（ｂ）、（ｃ）は（ａ）の屋根上取付具に使用されるスペーサー部材２例の斜視図である。
【図１１】同実施形態の他例を示す説明図であり、（ａ）は屋根上取付具の取付構造を示した正面図、（ｂ）はスペーサー部材の斜視図である。
【図１２】本発明に係る屋根上取付具の第５の実施形態を示す説明図であり、（ａ）は屋根上取付具の取付構造を示した正面図、（ｂ）はスペーサー部材の平面図である。
【図１３】同実施形態の他例を示す説明図であり、（ａ）は屋根上取付具の取付構造を示した正面図、（ｂ）は支持板の斜視図である。
【発明を実施するための形態】
【００２６】
以下に、本発明の実施の形態について、添付図面を参照しながら説明する。なお以下には、本発明の屋根上取付具の取付対象である波形屋根として、角波形屋根、つまり折板屋根を例示しているが、丸波形屋根（略半円形の山部と谷部とが交互に連続する屋根）にも適用できる。また、屋根の素材としては、金属や合成樹脂、セメント系等のものが適用できる。
【００２７】
図１は本発明に係る屋根上取付具の第１の実施形態を示す説明図であり、図１（ａ）は折板屋根への取付状態を示した正面図、図１（ｂ）は同側面図である。また、図２（ａ）は図１に示した屋根上取付具の分解斜視図、図２（ｂ）は図２（ａ）のＸ部分の拡大平面図である。図３（ａ）、（ｂ）は同屋根上取付具の施工状態を示す正面図である。
【００２８】
本実施形態に使用される折板屋根３０は、山部３１と谷部３２とが交互に連続する屋根であって、複数の折板屋根材を側端縁の山部３１の頂部３１ａで重合し、その重合部３０ａでボルト体２１とナット２２の螺着によって連結した重ね式構造となっている。また、ボルト孔３０ｂからの水浸入の防止のために、ナット２２と頂部３１ａとの間に、防水パッキンが内装された略円錐形の座金２３が取り付けられている。なお、ナット２２と座金２３とが一体となったものを使用してもよい。
【００２９】
一方、屋根上取付具１０は、金属板または硬質樹脂板よりなり、折板屋根３０の頂部３１ａより上方に突出した重合部連結用の上記ボルト体２１に挟着して、取付、固定する構造となっている。
【００３０】
具体的には、屋根上取付具１０は、上板１１ａと、その両端から下方に延びる両脚片１１ｂ、１１ｂとを備えた断面略倒コ字形の本体部１１と、両脚片１１ｂ、１１ｂのそれぞれの下端から対向するように折曲延設された両内向鍔片１２、１２とをすくなくとも備えてなり、両脚片１１ｂ、１１ｂを緊締して、両内向鍔片１２、１２を相互に近接させて、上記ボルト体２１の軸部２１ａに、ボルト体２１に螺着されたナット２２の上方位置で挟着させる構造となっている。また両脚片１１ｂ、１１ｂの緊締は、対向する両脚片１１ｂ、１１ｂに開設された軸孔１１ｂａ、１１ｂａに貫通された緊締用ボルト１３と、緊締用ナット１４との螺合によってなされる。
【００３１】
また、本実施形態では、脚片１１ｂの下端より延設された内向鍔片１２が、折曲基部１２ａから先端部１２ｂに向けて傾斜起立した形状となっているが、頂部３１ａの上面に平行なものでもよい。
【００３２】
また、図２（ｂ）の拡大平面図に示すように、内向鍔片１２の先端部１２ｂの辺縁の略中央には、折板屋根３０の頂部３１ａより突出したボルト体２１の外周面に嵌合可能な凹所１２ｃが形成されており、さらに凹所１２ｃの中央には上方に傾斜起立された切り起こし片１２ｄが形成されている。なお、この切り起こし片１２ｄはボルト体２１の軸部２１ａに対して鋭角的に嵌合させるものであるが、内向鍔片１２自体が傾斜しているため、その傾斜の程度によっては、切り起こし片１２ｄを形成しないものであってもよい。さらに、内向鍔片１２には、内向鍔片１２の強度を上げるためのリブ１２ｅが形成されている。
【００３３】
さらに、本実施形態の屋根上取付具１０の取付構造は、スペーサー部材Ｓをさらに付加した構造となっている。このスペーサー部材Ｓは屋根上取付具１０載置用の環状の台輪４７よりなる中空台座４０であり、上端面４７ａに内向鍔片１２の折曲基部１２ａが当接するとともに、ナット２２と座金２３の全体を包囲して中空部４８内に隠すように折板屋根３０の頂部３１ａの上面に載せ置かれる。なお、台輪４７はナット２２の上端よりも低いものでもよい。
【００３４】
以上のように構成した屋根上取付具１０は、以下の要領で折板屋根３０に取り付けて使用する。
【００３５】
まず、屋根上取付具１０の両脚片１１ｂ、１１ｂの軸孔１１ｂａの一方から緊締用ボルト１３の軸部１３ａを貫通したうえで、緊締用ボルト１３の先端側から緊締用ナット１４を軽く締めて仮止め状態にする。
【００３６】
次に、折板屋根３０の頂部３１ａより突出したボルト体２１の上方から、まず環状のスペーサー部材Ｓ（台輪４７）を、その中空部４８にボルト体２１が挿通されるようにして、折板屋根３０の頂部３１ａの上面に載置し、ついで屋根上取付具１０を、その両脚片１１ｂ、１１ｂの隙間１５にボルト体２１が嵌挿されるようにして、台輪４７の上端面４７ａに載置する（図３（ａ）、（ｂ）参照）。
【００３７】
そして、仮止め状態にしていた緊締用ボルト１３および緊締用ナット１４を締め付けると、この締め付け力によって両脚片１１ｂ、１１ｂが近接して、両脚片１１ｂ、１１ｂ下端の両内向鍔片１２、１２も隙間１５が小さくなるように互いに近接し、この両内向鍔片１２、１２の両凹所１２ｃ、１２ｃが、ボルト体２１の軸部２１ａを挟み込むとともに、切り起こし片１２ｄがボルト体２１のネジ溝に食い込んで、両者は強固に連結固定される（図１参照）。
【００３８】
こうして折板屋根３０に取り付けた屋根上取付具１０の本体部１１の上には、各種機器や部材類（不図示）を取り付けることができる。
【００３９】
このように緊締用ボルト１３および緊締用ナット１４で両脚片１１ｂ、１１ｂを緊締した状態では、図３（ｂ）に示すように、両脚片１１ｂ、１１ｂの下端が相互に近づいて両脚片１１ｂ、１１ｂが傾斜状態から略垂直状態に変化しており、その下端部である折曲基部１２ａが相互に近づいて、台輪４７の上に安定的に載置された状態となっている。
【００４０】
このように台輪４７よりなる中空台座４０を設けた構造によれば、内向鍔片１２が頂部３１ａより浮いた状態となることなく、屋根上取付具１０を折板屋根３０に対して隙間なく安定的に強固に取り付けることができる。また、台輪４７を設けているのでシーソー様のぐらつきを防止できる。
【００４１】
さらに、スペーサー部材Ｓが台輪４７で構成されているため、座金２３に抵触しないように安定的に頂部３１ａに載置できるとともに素材量の節約にも貢献できるし、座金２３およびナット２２を側方より覆っているので隙間がなく見映えもよい。
【００４２】
また、本実施形態では、屋根上取付具１０を折板屋根３０に取り付けるためのボルト体２１は、屋根材連結用のものが兼用されているため、取付のための部材点数を少なくすることができる。
【００４３】
以上では、スペーサー部材Ｓの例として環状で、座板を有さない中空台座４０（台輪４７）を示したが、図４（ａ）〜（ｃ）に示すような中空台座４０であってもよい。なお図４（ａ）では、屋根上取付具の取付対象である折板屋根を簡略的に図示し、図４（ｂ）、（ｃ）ではそれらの図示を割愛している。
【００４４】
図４（ａ）に示した中空台座４０は、一部を切り欠いた平面視矩形状の台輪４７であり、台輪４７は下端部が座金２３をかわして頂部３１ａに載置される形状となっている。図４（ａ）中の破線は、台輪４７の頂部３１ａにおける載置位置を示すものである。
【００４５】
この中空台座４０によれば、台輪４７で構成されているため屋根上取付具１０を安定支持できるとともに、一部を切り欠き、座金２３の全てを隠さない形状となっているため、素材量を軽減できる。また金型成形によらなくても折曲成形によって簡易に形成できる。
【００４６】
図４（ｂ）に示した中空台座４０は、ボルト体２１の貫通孔４３を有した矩形状の座板４１と、その両短辺縁より下方に延びたＬ字形の脚部４２とを備えている。この脚部４２は、頂部３１ａの形成方向に沿って並んで配されるように頂部３１ａに載置されている。なお、図４（ｂ）、（ｃ）にいて、スペーサー部材Ｓの折板屋根３０に対する設置方向は、図４（ａ）と同様である。
【００４７】
また、図４（ｃ）に示した中空台座４０は、図４（ｂ）と同様に貫通孔４３を有した矩形状の座板４１を備えているが、脚部４２は頂部３１ａの波の方向に沿って配される座板４１の両長辺縁に形成されている。なお、この脚部４２は座金２３に抵触しないように中央部が切り欠かれている。
【００４８】
なお、図４（ｂ）、（ｃ）では、貫通孔４３をナット２２よりもやや大きな径のものとし、ナット２２の上端が貫通孔４３より少し突き出る中空台座４０を示しているが、ナット２２を座板４１の下方に隠すものであってもよい。もちろん、図例のようにナット２２を通す程度の貫通孔４３を設けて中空台座４０の座板４１を低く形成するほうが、内向鍔片１２のボルト体２１への挟着位置を低くでき安定させることができるので、望ましい。
【００４９】
以上の３例はいずれも、図１に示したものと同様に、スペーサー部材Ｓが折板屋根３０の頂部３１ａに載置、支持され、かつ屋根上取付具１０を支持する台座構造であるため、屋根上取付具１０を折板屋根３０に対して隙間なく安定的に強固に取り付けることができる。特に、図１〜図４に示したスペーサー部材Ｓはいずれも中空台座４０の構造であるため、座金２３に抵触することなく頂部３１ａの上面に載置させることができる。
【００５０】
中空台座で構成されたスペーサー部材としては、円形または矩形の台輪に、貫通孔付きの底板部、または／および、貫通孔付きの天板部を付加した構成であってもよい。
【００５１】
ついで、本発明の第２の実施形態について説明する。
【００５２】
図５は第２の実施形態の屋根上取付具の取付構造を示す分解斜視図、図６は同屋根上取付具の取付後の斜視図である。
【００５３】
図５および図６の説明においては、図１〜図４（第１の実施形態）と共通する部位には同一の符号を付して、重複する説明を省略し、特徴点についてのみ記述するものとする。
【００５４】
本実施形態では、スペーサー部材Ｓは中空台座４０の構造、つまり折板屋根３０の頂部３１ａに、座金２３をかわして載置、支持され、かつ屋根上取付具１０を座板４１で支持する構造であり、その点では第１の実施形態（図４（ｂ）、（ｃ）の座板と脚部とを有した形態）のものと共通するが、座板４１の両辺縁より上方に突出した取付具回り止め片４４と、他の両辺縁から下方に延びた脚部４２の両端に設けられたスペーサー部材回り止め片４５を備えている点で第１の実施形態のものと異なっている。なお図例では、貫通孔４３はナット２２を上方に突出させるようにナット２２よりも大きな孔に形成されているが、ナット２２を座板４１の下方に隠すものでもよい。
【００５５】
この取付具回り止め片４４は、屋根上取付具１０を取り付けた状態では、内向鍔片１２の両側端と接触または近接状態にあり、屋根上取付具１０に回転力が作用しても、取付具回り止め片４４に係止するので回転ずれが起こることを防止できるし、内向鍔片１２間の隙間１５の長手方向へのずれも防止できる。なお、取付具回り止め片４４は脚部４２と同一辺に設けてもよい。
【００５６】
また、スペーサー部材回り止め片４５は、両脚部４２に１対ずつ形成されており、両脚部４２は、各１対のスペーサー部材回り止め片４５が折板屋根３０の山部３１の頂部３１ａに跨るように、頂部３１ａの上に載置されているので、スペーサー部材Ｓの回転および波の方向への移動を制止できる。
【００５７】
なお、スペーサー部材Ｓの波の方向への移動および頂部３１ａの形成方向への移動は、貫通孔４３に挿通されたナット２２またはボルト体２１によっても規制されていることはいうまでもない。よってスペーサー部材Ｓはナット２２またはボルト体２１が外れないかぎり、移動することはない。
【００５８】
また、図５および図６に示したスペーサー部材Ｓは、切り起こし、折り曲げ等で形成できるので、製造も容易である。
【００５９】
図７（ａ）、（ｂ）は、同実施形態および第３の実施形態のいずれにも関連するスペーサー部材の他２例を示す斜視図である。
【００６０】
これらのスペーサー部材Ｓは、座板４１と脚部４２とを備えた台座構造であり、さらに取付具回り止め片４４、スペーサー部材回り止め片４５を備えている点で図５および図６のものと類似している。しかし、図７（ａ）、（ｂ）のものは、脚部４２が一方にしか形成されておらず、折板屋根３０の頂部３１ａに設置した状態では、座板４１の下面がナット２２に接して支持されている。つまり、このスペーサー部材Ｓは、後述する支持板５０（図８参照）と同種のものであり、支持板５０にさらに脚部を付加した構成であるといえる。
【００６１】
すなわち、これらのスペーサー部材Ｓは、１つの脚部４２、および座板４１のナット２２との接触部の２箇所でもって下方より支持されており、そのため、スペーサー部材Ｓおよびその上の屋根上取付具１０はぐらつきなく安定する。
【００６２】
また、スペーサー部材Ｓには取付具回り止め片４４、スペーサー部材回り止め片４５が形成されているので、スペーサー部材Ｓおよび屋根上取付具１０の回転ずれ等が防止できる。
【００６３】
なお、図７（ｂ）に示したスペーサー部材Ｓは、座板４１の上面の４箇所に、上方に突き出た小突起によって構成された取付具回り止め片４４を備えている。
【００６４】
また、図７（ａ）、（ｂ）のいずれにおいても、脚部４２が折板屋根３０の頂部３１ａ（図６参照）の上面に接触せず、つまり浮いた状態となる構造であってもよい。そのような構造のスペーサー部材は、中空台座というよりは、次に示す第３の実施形態における支持板５０（図８参照）と同等のものとして位置付けられる。また、２つのスペーサー部材回り止め片４５の対向する端部４５ａが頂部３１ａの端部に接触する構造であってもよい。
【００６５】
ついで、本発明の第３の実施形態について説明する。本実施形態および第４、第５の実施形態では、屋根上取付具を折板屋根に取り付けたときに、折板屋根に接触しないスペーサー部材を用いる構造を示している。
【００６６】
図８は第３の実施形態を示す説明図であり、図８（ａ）は屋根上取付具の取付構造を示した正面図、図８（ｂ）はスペーサー部材の斜視図である。図９は同実施形態の他例を示す説明図であり、図９（ａ）は屋根上取付具の取付構造を示した正面図、図９（ｂ）はスペーサー部材の斜視図である。
【００６７】
図８および図９の説明においては、図１〜図４（第１の実施形態）と共通する部位には同一の符号を付して、重複する説明を省略し、特徴点についてのみ記述するものとする。
【００６８】
これらのものでは、スペーサー部材Ｓが、ボルト体２１が貫通する貫通孔５１を有した支持板５０より構成されており、屋根上取付具１０を取り付けた状態では、支持板５０の下面がナット２２の上端面に接触して下方より支持され、一方、支持板５０の上面に内向鍔片１２の折曲基部１２ａが当接されて屋根上取付具１０を支持している。
【００６９】
図８のものは、矩形平板の中央に貫通孔５１を開設しただけの簡易な形状であるため、屋根上取付具１０の折板屋根３０への取付を楽に行えるし、スペーサー部材Ｓの製造も容易であり、また少ない素材量で成形できる。
【００７０】
また、図９のものは、円板よりなる支持板５０の上面の４箇所に、内向鍔片１２の折曲基部１２ａに係止し得る取付具回り止め片５５が形成され、下面の２箇所にナット２２に係止し得るスペーサー部材回り止め片５６が形成されている。いずれの回り止め片も小突起状に形成されている。
【００７１】
このスペーサー部材Ｓによれば、取付具回り止め片５５およびスペーサー部材回り止め片５６が形成されているので、屋根上取付具１０およびスペーサー部材Ｓの回転ずれを防止できる。なお、スペーサー部材回り止め片５６はナット２２に係止するものであるため、スペーサー部材Ｓの回転力によってナット２２が回転して緩むおそれがあるが、ボルト体２１とナット２２を強固に螺着することでナット２２の回転は回避できる。
【００７２】
ついで、本発明の第４の実施形態について説明する。
【００７３】
図１０は第４の実施形態を示す説明図であり、図１０（ａ）は屋根上取付具の取付構造を示した正面図、図１０（ｂ）、（ｃ）は図１０（ａ）の屋根上取付具に使用されるスペーサー部材２例の斜視図である。図１１は同実施形態の他例を示す説明図であり、図１１（ａ）は屋根上取付具の取付構造を示した正面図、図１１（ｂ）はスペーサー部材の斜視図である。
【００７４】
図１０および図１１の説明においては、図１〜図４（第１の実施形態）と共通する部位には同一の符号を付して、重複する説明を省略し、特徴点についてのみ記述するものとする。
【００７５】
図１０に示したものでは、スペーサー部材Ｓが円板状の支持板５０よりなり、その支持板５０の中央部が上方に突出した形状となっており、支持板５０の下面側には、ナット２２が収容される、上記突出部５３に対応したナット収容凹所５２が形成され、そのナット収容凹所５２の底部にはボルト体２１が貫通する貫通孔５１が開設されている。つまり、このスペーサー部材Ｓは、屋根上取付具１０を取り付けた状態では、支持板５０のナット収容凹所５２の内底面がナット２２の上端面に接触して支持され、一方、下段部５４の上面に内向鍔片１２の折曲基部１２ａが当接されて屋根上取付具１０を支持している。
【００７６】
ナット収容凹所５２を形成した上面側の突出部５３の形状としては、ナット２２の形状に合った六角筒状のもの（図１０（ｂ）参照）でも、円柱状のもの（図１０（ｃ）参照）でもよい。ナット収容凹所５２が六角筒状のものによれば、ナット２２との係止によって回転を制止できる。円柱状のものでも、図例のように取付具回り止め片５５を設けることで回転を制止できる。
【００７７】
また、図１１に示したものでは、スペーサー部材Ｓが支持板５０よりなり、その支持板５０の中央部に凸条よりなる突出部５３が形成されており、支持板５０の下面側には、凸条に対応した凹溝よりなるナット収容凹所５２が形成され、そのナット収容凹所５２の底部にはボルト体２１が貫通する貫通孔５１が開設されている。つまり、このスペーサー部材Ｓも、屋根上取付具１０を取り付けた状態では、支持板５０のナット収容凹所５２の内底面がナット２２に接触して支持されており、一方、下段部５４の上面に内向鍔片１２の折曲基部１２ａが当接されて屋根上取付具１０を支持している。また、下段部５４には取付具回り止め片５５が設けられている。
【００７８】
図１０および図１１に示したスペーサー部材Ｓはいずれも、屋根上取付具１０の内向鍔片１２の折曲基部１２ａが支持板５０の下段部５４に当接する構成となっているため、内向鍔片１２の傾斜が急なもの、あるいはボルト体２１の軸部２１ａが短いものでも、内向鍔片１２の先端部１２ｂをボルト体２１に挟着させることができる。
【００７９】
最後に、本発明の第５の実施形態について説明する。
【００８０】
図１２は本発明に係る屋根上取付具の第５の実施形態を示す説明図であり、図１２（ａ）は屋根上取付具の取付構造を示した正面図、図１２（ｂ）はスペーサー部材の平面図である。図１３は、同実施形態の他例である屋根上取付具の取付構造を示した正面図である。
【００８１】
図１２および図１３の説明においては、図１〜図４（第１の実施形態）と共通する部位には同一の符号を付して、重複する説明を省略し、特徴点についてのみ記述するものとする。
【００８２】
図１２に示したものでは、スペーサー部材Ｓが支持板５０よりなり、その支持板５０の中央部が下方に突出した形状となっており、支持板５０の中央には、ナット２２が収容される、上記下方突出部５８に対応したナット嵌合凹所５７が形成され、そのナット嵌合凹所５７の底部５７ａには、ボルト体２１が貫通する貫通孔５１を構成するとともにナット２２が嵌合するナット嵌合孔５９が開設されている。つまり、このスペーサー部材Ｓは、屋根上取付具１０を取り付けた状態では、支持板５０の下方突出部５８の下面が座金２３に接触して支持され、一方、支持板５０の上面に内向鍔片１２の折曲基部１２ａが当接されて屋根上取付具１０を支持している。
【００８３】
このナット嵌合凹所５７に設けられたナット嵌合孔５９は、図１２（ｂ）に示すように、六角状のナット２２が嵌合し得る花弁形状の突起がスペーサー部材回り止め片５６を構成しており、ナット２２がいったん嵌合したのちは、ナット嵌合孔５９の内向片がナット２２によって係止されて、スペーサー部材Ｓの回転が阻止される。
【００８４】
さらに、支持板５０の上面の４箇所には、取付具回り止め片５５が形成されている。
【００８５】
図１２に示したスペーサー部材Ｓのように、支持板５０が座金２３の上に載置され、さらにナット２２を貫通する貫通孔５１を有したものとして、図１２のように凹所のない、例えば平板状で貫通孔が開設された支持板（図８、９に示した支持板５０と比べて貫通孔の径の大きなもの）も使用できる。
【００８６】
このように座金２３上に接触載置され、かつナット２２を貫通する貫通孔５１を有した支持板５０は、ナット２２と座金２３が一体となったものに有効に使用できるし、平板状のものによれば、屋根上取付具１０の高さ位置を低くできるので、内向鍔片１２の傾斜が急なもの、あるいはボルト体２１の軸部２１ａが短いものでも、内向鍔片１２の先端部１２ｂをボルト体２１に挟着させることができる。
【００８７】
また、図１３に示したものでは、スペーサー部材Ｓが支持板５０よりなり、その支持板５０が座金２３とナット２２に挟まれた状態で支持されている。また、この支持板５０は上面に内向鍔片１２の折曲基部１２ａが当接されて屋根上取付具１０を支持している。
【００８８】
このスペーサー部材Ｓは、ボルト体２１とナット２２を強固に螺着することで、両者に強固に挟まれて固定されるので、スペーサー部材Ｓが回転することを阻止できる。また、支持板５０がナット２２の下に配され、屋根上取付具１０の内向鍔片１２の折曲基部１２ａが、下方に配された支持板５０に当接する構成となっているため、内向鍔片１２の傾斜が急なもの、あるいはボルト体２１の軸部２１ａが短いものでも、内向鍔片１２の先端部１２ｂをボルト体２１に挟着させることができる。
【００８９】
以上に説明した種々の実施形態では、折板屋根３０の頂部３１ａとナット２２との間に防水用の座金２３を配設したものを示したが、第１〜第４の実施形態については、防水用の座金２３の代わりに防水パッキンを配設した折板屋根についても適用が可能である。
【００９０】
また、以上の種々の実施形態のうち、ボルト体２１を貫通させる貫通孔５１を有した例（図８および図１０（ｃ）参照）については、貫通孔５１に雌ネジ（ネジ溝）を形成させてもよい。その場合、台座の座板および支持板が矩形であれば、螺着しようとすると折板屋根３０の頂部３１ａ上での位置合わせができなくなるおそれがあるため、円形に形成することが望ましい。
【００９１】
また、以上の実施形態では、屋根上取付具１０を隣接する両屋根材の重合部３０ａに配した例を示したが、重合部が形成されていない山部の頂部に屋根上取付具１０を取り付けてもよい。
【００９２】
さらに、以上の実施形態では、山部３１、谷部３２の方向に沿って両脚片１１ｂ、１１ｂが配列されるように屋根上取付具１０を配した例を示したが、波の方向に沿って両脚片１１ｂ、１１ｂが配列されるように屋根上取付具１０を配してもよい。これら２種の方向に配することが望ましいが、それら以外のどのような方向に配してもよい。
【００９３】
また、上記屋根上取付具は、平板形（波形を形成していない）屋根に取り付けることも可能である。
【００９４】
以上には、スペーサー部材Ｓとして、折板屋根３０の頂部３１ａに載置される中空台座４０で構成されるもの（第１、第２の実施形態）、ナット２２に載置されるもの（第３、第４の実施形態）、および座金２３に載置されるもの（第５の実施形態）を示したが、頂部３１ａとナット２２の両方に載せ置くスペーサー部材Ｓ（図７参照）のように、複数の部材によって支持される形態であってもよい。
【符号の説明】
【００９５】
１０      屋根上取付具
１１      本体部
１１ａ      上板
１１ｂ      脚片
１２      内向鍔片
１２ａ      折曲基部
１２ｂ      先端部
２１      ボルト体
２２      ナット
２３      座金
３０      折板屋根（波形屋根）
３０ａ      重合部
３１      山部
３１ａ      頂部
３２      谷部
Ｓ      スペーサー部材
４０      中空台座
４１      座板
４２      脚部
４３      貫通孔
４４      取付具回り止め片
４５      スペーサー部材回り止め片
４７      台輪
４８      中空部
５０      支持板
５１      貫通孔
５２      ナット収容凹所
５３      突出部
５４      下段部
５５      取付具回り止め片
５６      スペーサー部材回り止め片
５７      ナット嵌合凹所
５８      下方突出部
５９      ナット嵌合孔